【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
通信する方法であって、
データリンクに関連付けられた近隣認識ネットワーク（ＮＡＮ）に対応する第１のワイヤレスネットワークに関連付けられた同期動作に基づいて、前記データリンクの第１の電子デバイスにおいてクロックを同期することと、
前記第１の電子デバイスにおいて第１のトラフィック告知メッセージを生成することと、ここにおいて、前記第１のトラフィック告知メッセージは、第２のワイヤレスネットワークに関連付けられ、前記第２のワイヤレスネットワークは、前記データリンクに対応するデータ送信を含む通信のために指定され、前記第１のトラフィック告知メッセージは、第１のデータが前記第１の電子デバイスから前記データリンクの第２の電子デバイスに送信されるべきであることを示す、
前記同期されたクロックに基づいて決定された第１のページング時間枠の間に、前記第２のワイヤレスネットワークを介して、前記第１のトラフィック告知メッセージを前記データリンクの１つまたは複数の電子デバイスに送信することと、ここにおいて、第１の送信時間枠の第１の部分は前記第１のページング時間枠を含む、
前記第２のワイヤレスネットワークを介して、前記第１の送信時間枠の第２の部分の間に、前記第１のデータの少なくとも一部分を前記第２の電子デバイスに送信することとを備える、方法。
【請求項２】
前記第１のページング時間枠が、前記１つまたは複数の電子デバイスのアクティブ動作モードに対応する時間期間の間に存在し、前記第１のページング時間枠が、前記ＮＡＮの第１の発見時間枠から１つの発見時間枠オフセット期間後に開始する、請求項１に記載の方法。
【請求項３】
前記ＮＡＮが第１の複数の電子デバイスを含み、前記データリンクが第２の複数の電子デバイスを含み、前記第２の複数の電子デバイスが前記第１の複数の電子デバイスのサブセットである、請求項１に記載の方法。
【請求項４】
前記第１のトラフィック告知メッセージが、第２のデータが前記第１の電子デバイスから前記データリンクの第３の電子デバイスに送信されるべきであることをさらに示し、前記第１第２のワイヤレスネットワークを介して、前記第１の電子デバイスから前記第３の電子デバイスに前記第２のデータを送信することをさらに備える、請求項１に記載の方法。
【請求項５】
前記第１の電子デバイスにおいて第２のトラフィック告知メッセージを生成することと、ここにおいて、前記第２のトラフィック告知メッセージは、第２のデータが前記第１の電子デバイスから前記データリンクの第３の電子デバイスに送信されるべきであることを示す、
第２のページング時間枠の間に、前記第２のトラフィック告知メッセージを前記データリンクの前記１つまたは複数の電子デバイスに送信することとをさらに備える、請求項１に記載の方法。
【請求項６】
前記第１のページング時間枠の可変の時間長が、前記データリンクの他の電子デバイスに対応するサービスを提供する前記データリンクの前記電子デバイスの数に基づく、請求項１に記載の方法。
【請求項７】
前記データリンク中の前記１つまたは複数の電子デバイスから前記第１の電子デバイスにおいて受信されるルート告知（ＲＡＮＮ）メッセージのカウントを維持することと、ここにおいて、前記ＲＡＮＮメッセージの各々は、前記データリンクの対応する電子デバイスが前記対応するサービスを提供していることを示す、
前記カウントをマッピングテーブルと比較することに基づいて、前記第１のページング時間枠の前記時間長を決定することとをさらに備える、請求項６に記載の方法。
【請求項８】
前記第１のページング時間枠の時間長が、前記データリンクに対応するデータリンク時間ブロックのサイズに基づく、請求項１に記載の方法。
【請求項９】
前記第１のトラフィック告知メッセージを生成する前に、前記第１のワイヤレスネットワークを介して前記第１の電子デバイスにおいてサービス発見メッセージを受信することと、ここにおいて、前記第１のワイヤレスネットワークは、前記ＮＡＮ内での発見動作および同期動作を含む通信のために指定されている、
前記サービス発見メッセージを受信した後に、および前記第１のトラフィック告知メッセージを送信する前に、前記第２のワイヤレスネットワークを介して送信するように前記第１の電子デバイスを構成することとをさらに備える、請求項１に記載の方法。
【請求項１０】
前記第１のトラフィック告知メッセージが、前記第１のデータの受信者として前記第２の電子デバイスを識別するトラフィックインジケータを含み、前記トラフィックインジケータが、ブルームフィルタを含む、請求項１に記載の方法。
【請求項１１】
前記第１のトラフィック告知メッセージを前記第２のワイヤレスネットワークを介して送信する前に、前記第２のワイヤレスネットワークを介して送信するように前記第１の電子デバイスを構成することとをさらに備える、請求項１に記載の方法。
【請求項１２】
前記第１のトラフィック告知メッセージがトラフィック指示マップを含み、前記トラフィック指示マップがビットマップを備え、前記ビットマップの１つまたは複数のビットの値が、前記第１の送信時間枠の間の前記第１の電子デバイスからのデータ送信の指定された受信者として、前記１つまたは複数の電子デバイスを識別する、請求項１に記載の方法。
【請求項１３】
前記トラフィック指示マップの第１のビットが、前記第１のデータが前記データリンクの前記第２の電子デバイスに送信されるべきであることを示し、前記トラフィック指示マップの第２のビットが、第２のデータが前記データリンクの第３の電子デバイスに送信されるべきであることを示す、請求項１２に記載の方法。
【請求項１４】
前記トラフィック指示マップ中の前記第１のビットの位置が、前記第２の電子デバイスへと前記第１の電子デバイスによって割り当てられる接続識別子に基づく、請求項１３に記載の方法。
【請求項１５】
第１のコンテンション時間枠パラメータが、前記第１のページング時間枠の時間長、ページングメッセージのサイズ、およびページングメッセージの目標コリジョン確率に基づいて選択される、請求項１に記載の方法。
【請求項１６】
第２のコンテンション時間枠パラメータが、前記第１の送信時間枠の時間長、データ送信のサイズ、およびデータ送信の目標コリジョン確率に基づいて選択される、請求項１５に記載の方法。
【請求項１７】
前記第１のトラフィック告知メッセージに応答して前記第２の電子デバイスから肯定応答を受信することをさらに備え、前記肯定応答が節電ポール（ＰＳ−ＰＯＬＬ）メッセージを備える、請求項１に記載の方法。
【請求項１８】
前記第１のトラフィック告知メッセージに応答して前記第２の電子デバイスから肯定応答を受信することをさらに備え、前記肯定応答がサービス品質ヌル（ＱｏＳ＿ＮＵＬＬ）フレームである、請求項１に記載の方法。
【請求項１９】
前記ＱｏＳ＿ＮＵＬＬフレームが、コンテンションを伴わずに短フレーム間空間（ＳＩＦＳ）期間内に応答を前記第２の電子デバイスへ送信することを前記第１の電子デバイスに対して承認する、逆方向グラント（ＲＤＧ）を含む、請求項１８に記載の方法。
【請求項２０】
第１のデータの前記少なくとも一部分が、前記第１のトラフィック告知メッセージに応答して前記第２の電子デバイスから肯定応答を受信したことに応答して送信される、請求項１に記載の方法。
【請求項２１】
前記第１のトラフィック告知メッセージが受信者タイプインジケータを含み、前記第１のトラフィック告知メッセージが、第２のデータが前記データリンクの第３の電子デバイスに送信されるべきであることをさらに示し、前記第２の電子デバイスおよび前記第３の電子デバイスを識別するアドレスセットが、トラフィック指示マップによって表され、前記第１のトラフィック告知メッセージが、前記トラフィック指示マップを識別する、請求項１に記載の方法。
【請求項２２】
前記第１のトラフィック告知メッセージが、受信者タイプインジケータを含み、第２のデータが前記データリンクの第３の電子デバイスに送信されるべきであることをさらに示し、前記第２の電子デバイスおよび前記第３の電子デバイスを識別するアドレスセットが、ブルームフィルタによって表され、前記第１のトラフィック告知メッセージが、前記ブルームフィルタを識別する、請求項１に記載の方法。
【請求項２３】
前記第１のトラフィック告知メッセージが、前記ブルームフィルタのサイズと、前記ブルームフィルタに対応するハッシュ関数のセットを示すブルームフィルタインデックスとを示し、前記ブルームフィルタが、ハッシュ関数の前記セットと、前記１つまたは複数の電子デバイスに対応する１つまたは複数の媒体アクセス制御（ＭＡＣ）アドレスとに基づいて決定される、請求項２２に記載の方法。
【請求項２４】
前記第１のトラフィック告知メッセージに応答して、前記データリンクの前記第２の電子デバイスから第１の肯定応答を受信することをさらに備え、前記第２の電子デバイスが前記第１のデータの受信者として正しく識別されると決定したことに基づいて、前記第１のデータの前記一部分が前記第２の電子デバイスに送信される、請求項２２に記載の方法。
【請求項２５】
前記第１のトラフィック告知メッセージに応答して、前記データリンクの第３の電子デバイスから第２の肯定応答を受信することと、
前記第３の電子デバイスが前記第１のデータの前記受信者ではないと決定したことに基づいて、否定応答（ＮＡＣＫ）を前記第３の電子デバイスに送信することとをさらに備える、請求項２４に記載の方法。
【請求項２６】
プロセッサと、
前記プロセッサに結合されたメモリとを備え、前記メモリが、
データリンクに関連付けられた近隣認識ネットワーク（ＮＡＮ）に対応する第１のワイヤレスネットワークに関連付けられた同期動作に基づいて、前記データリンクの第１の電子デバイスにおいてクロックを同期することと、
前記第１の電子デバイスにおいて第１のトラフィック告知メッセージを生成することと、ここにおいて、前記第１のトラフィック告知メッセージは、第２のワイヤレスネットワークに関連付けられ、前記第２のワイヤレスネットワークは、前記データリンクに対応するデータ送信を含む通信のために指定され、前記第１のトラフィック告知メッセージは、第１のデータが前記第１の電子デバイスから前記データリンクの第２の電子デバイスに送信されるべきであることを示す、
前記同期されたクロックに基づいて決定された第１のページング時間枠の間に、前記第２のワイヤレスネットワークを介して、前記第１のトラフィック告知メッセージを前記データリンクの１つまたは複数の電子デバイスに送信することと、ここにおいて、第１の送信時間枠の第１の部分は前記第１のページング時間枠を含む、
前記第２のワイヤレスネットワークを介して、前記第１の送信時間枠の第２の部分の間に、前記第１のデータの少なくとも一部分を前記第２の電子デバイスに送信することとを備える動作を実行するように、前記プロセッサによって実行可能な命令を記憶する、装置。
【請求項２７】
前記第１のページング時間枠が、前記１つまたは複数の電子デバイスのアクティブ動作モードに対応する時間期間の間に存在し、前記第１のページング時間枠が、前記ＮＡＮの第１の発見時間枠から１つの発見時間枠オフセット期間後に開始し、前記ＮＡＮが第１の複数の電子デバイスを含み、前記データリンクが第２の複数の電子デバイスを含み、前記第２の複数の電子デバイスが前記第１の複数の電子デバイスのサブセットである、請求項２６に記載の装置。
【請求項２８】
前記第１のトラフィック告知メッセージが、第２のデータが前記第１の電子デバイスから前記データリンクの第３の電子デバイスに送信されるべきであることをさらに示し、前記動作が、前記第２のワイヤレスネットワークを介して、前記第１の電子デバイスから前記第３の電子デバイスに前記第２のデータを送信することをさらに備える、請求項２６に記載の装置。
【請求項２９】
前記動作が、
前記第１の電子デバイスにおいて第２のトラフィック告知メッセージを生成することと、ここにおいて、前記第２のトラフィック告知メッセージは、第２のデータが前記第１の電子デバイスから前記データリンクの第３の電子デバイスに送信されるべきであることを示す、
第２のページング時間枠の間に、前記第２のトラフィック告知メッセージを前記データリンクの前記１つまたは複数の電子デバイスに送信することとをさらに備える、請求項２６に記載の装置。
【請求項３０】
前記第１のページング時間枠の時間長が、前記データリンクの他の電子デバイスに対応するサービスを提供している前記データリンクの前記電子デバイスの数に基づき、前記動作が、
前記データリンク中の前記１つまたは複数の電子デバイスから前記第１の電子デバイスにおいて受信されるルート告知（ＲＡＮＮ）メッセージのカウントを維持することと、ここにおいて、前記ＲＡＮＮメッセージの各々は、前記データリンクの対応する電子デバイスが前記対応するサービスを提供していることを示す、
前記カウントをマッピングテーブルと比較することに基づいて、前記第１のページング時間枠の前記時間長を決定することとをさらに備える、請求項２６に記載の装置。
【請求項３１】
前記動作が、
前記第１のトラフィック告知メッセージを生成する前に、前記第１のワイヤレスネットワークを介して前記第１の電子デバイスにおいてサービス発見メッセージを受信することと、ここにおいて、前記第１のワイヤレスネットワークは、前記ＮＡＮ内での発見動作および同期動作を含む通信のために指定されている、
前記サービス発見メッセージを受信した後に、および前記第１のトラフィック告知メッセージを送信する前に、前記第２のワイヤレスネットワークを介して送信するように前記第１の電子デバイスを構成することとをさらに備える、請求項２６に記載の装置。
【請求項３２】
前記第１のトラフィック告知メッセージが、前記第１のデータの受信者として前記第２の電子デバイスを識別するトラフィックインジケータを含み、前記トラフィックインジケータが、トラフィック指示マップ（ＴＩＭ）、ブルームフィルタ、媒体アクセス制御アドレスのリスト、または告知トラフィック指示メッセージ（ＡＴＩＭ）を含む、請求項２６に記載の装置。
【請求項３３】
前記動作が、前記第１のトラフィック告知メッセージを前記第２のワイヤレスネットワークを介して送信する前に、前記第２のワイヤレスネットワークを介して送信するように前記第１の電子デバイスを構成することをさらに備える、請求項２６に記載の装置。
【請求項３４】
前記第１のトラフィック告知メッセージがトラフィック指示マップを含み、前記トラフィック指示マップがビットマップを備え、前記ビットマップの１つまたは複数のビットの値が、前記第１の送信時間枠の間の前記第１の電子デバイスからのデータ送信の受信者として、前記１つまたは複数の電子デバイスを識別する、請求項２６に記載の装置。
【請求項３５】
前記トラフィック指示マップの第１のビットが、前記第１のデータが前記データリンクの前記第２の電子デバイスに送信されるべきであることを示し、前記トラフィック指示マップの第２のビットが、第２のデータが前記データリンクの第３の電子デバイスに送信されるべきであることを示す、請求項３４に記載の装置。
【請求項３６】
前記トラフィック指示マップ中の前記第１のビットの位置が、前記第２の電子デバイスへと前記第１の電子デバイスによって割り当てられる接続識別子に基づく、請求項３５に記載の装置。
【請求項３７】
第１のコンテンション時間枠パラメータが、前記第１のページング時間枠の時間長、ページングメッセージのサイズ、およびページングメッセージの目標コリジョン確率に基づいて選択される、請求項２６に記載の装置。
【請求項３８】
第２のコンテンション時間枠パラメータが、前記第１の送信時間枠の時間長、データ送信のサイズ、およびデータ送信の目標コリジョン確率に基づいて選択される、請求項３７に記載の装置。
【請求項３９】
前記動作が、前記第１のトラフィック告知メッセージに応答して前記第２の電子デバイスから肯定応答を受信することをさらに備え、前記肯定応答が節電ポール（ＰＳ−ＰＯＬＬ）メッセージを備える、請求項２６に記載の装置。
【請求項４０】
前記動作が、前記第１のトラフィック告知メッセージに応答して前記第２の電子デバイスから肯定応答を受信することをさらに備え、前記肯定応答がサービス品質ヌル（ＱｏＳ＿ＮＵＬＬ）フレームである、請求項２６に記載の装置。
【請求項４１】
前記ＱｏＳ＿ＮＵＬＬフレームが、コンテンションを伴わずに短フレーム間空間（ＳＩＦＳ）期間内に応答を前記第２の電子デバイスへ送信することを前記第１の電子デバイスに対して承認する、逆方向グラント（ＲＤＧ）を含む、請求項４０に記載の装置。
【請求項４２】
前記第１のデータの前記少なくとも一部分が、前記第１のトラフィック告知メッセージに応答して前記第２の電子デバイスから肯定応答を受信したことに応答して送信される、請求項２６に記載の装置。
【請求項４３】
前記第１のトラフィック告知メッセージが受信者タイプインジケータを含み、前記第１のトラフィック告知メッセージが、第２のデータが前記データリンクの第３の電子デバイスに送信されるべきであることをさらに示し、前記第２の電子デバイスおよび前記第３の電子デバイスを識別するアドレスセットが、トラフィック指示マップによって表され、前記第１のトラフィック告知メッセージが、前記トラフィック指示マップを識別する、請求項２６に記載の装置。
【請求項４４】
前記第１のトラフィック告知メッセージが、受信者タイプインジケータを含み、第２のデータが第３の電子デバイスに送信されるべきであることをさらに示し、前記第２の電子デバイスおよび前記第３の電子デバイスを識別するアドレスセットが、ブルームフィルタによって表され、前記第１のトラフィック告知メッセージが、前記ブルームフィルタを識別する、請求項２６に記載の装置。
【請求項４５】
前記第１のトラフィック告知メッセージが、前記ブルームフィルタのサイズと、前記ブルームフィルタに対応するハッシュ関数のセットを示すブルームフィルタインデックスとを示し、前記ブルームフィルタが、ハッシュ関数の前記セットと、前記１つまたは複数の電子デバイスに対応する１つまたは複数の媒体アクセス制御（ＭＡＣ）アドレスとに基づいて決定される、請求項４４に記載の装置。
【請求項４６】
前記動作が、
前記第１のトラフィック告知メッセージに応答して、前記データリンクの前記第２の電子デバイスから第１の肯定応答を受信することをさらに備え、前記第１のデータの前記一部分は、前記第２の電子デバイスが前記第１のデータの受信者として正しく識別されると決定したことに基づいて、前記第２の電子デバイスに送信される、請求項４４に記載の装置。
【請求項４７】
データリンクに関連付けられた近隣認識ネットワーク（ＮＡＮ）に対応する第１のワイヤレスネットワークに関連付けられた同期動作に基づいて、前記データリンクの第１の電子デバイスにおいてクロックを同期するための手段と、
前記第１の電子デバイスにおいてトラフィック告知メッセージを生成するための手段と、ここにおいて、前記トラフィック告知メッセージは、第２のワイヤレスネットワークに関連付けられ、前記第２のワイヤレスネットワークは、前記データリンクに対応するデータ送信を含む通信のために指定され、前記トラフィック告知メッセージは、第１のデータが前記第１の電子デバイスから前記データリンクの第２の電子デバイスに送信されるべきであることを示す、
前記同期されたクロックに基づいて決定されたページング時間枠の間に、および前記第１のワイヤレスネットワークを介して、前記トラフィック告知メッセージを前記データリンクの１つまたは複数の電子デバイスに送信するための手段と、ここにおいて、送信時間枠の第１の部分は前記ページング時間枠を含む、
前記送信時間枠の第２の部分の間に、前記第２の電子デバイスに前記第２のワイヤレスネットワークを介して、前記第１のデータの少なくとも一部分を送信するための手段とを備える、装置。
【請求項４８】
命令を記憶する非一時的コンピュータ可読媒体であって、前記命令が、プロセッサによって実行されると、前記プロセッサに、
データリンクに関連付けられた近隣認識ネットワーク（ＮＡＮ）に対応する第１のワイヤレスネットワークに関連付けられた同期動作に基づいて、前記データリンクの第１の電子デバイスにおいてクロックを同期させ、
前記第１の電子デバイスにおいてトラフィック告知メッセージを生成させ、ここにおいて、前記トラフィック告知メッセージは、第２のワイヤレスネットワークに関連付けられ、前記第２のワイヤレスネットワークは、前記データリンクに対応するデータ送信を含む通信のために指定され、前記トラフィック告知メッセージは、第１のデータが前記第１の電子デバイスから前記データリンクの第２の電子デバイスに送信されるべきであることを示す、
前記同期されたクロックに基づいて決定されたページング時間枠の間に、前記第２のワイヤレスネットワークを介して、前記トラフィック告知メッセージを前記データリンクの１つまたは複数の電子デバイスへ送信させ、ここにおいて、送信時間枠の第１の部分は前記ページング時間枠を含む、
前記第２のワイヤレスネットワークを介して、前記送信時間枠の第２の部分の間に、前記第１のデータの少なくとも一部分を前記第２の電子デバイスに送信させる、非一時的コンピュータ可読媒体。
【請求項４９】
前記第１のワイヤレスネットワークが、電子デバイスのグループを含み、前記第２のワイヤレスネットワークが、前記グループのサブセットを含み、前記データリンクが、前記第１の電子デバイスによって提供されるサービスに関連付けられる、請求項１に記載の方法。
【請求項５０】
前記第２のワイヤレスネットワークが閾値の時間の期間の間アイドル状態であることを決定したことに応答して、前記第１の電子デバイスにおいて低電力動作モードに遷移することをさらに備える、請求項１に記載の方法。
【請求項５１】
前記第１のページング時間枠の間、前記データリンクの第３の電子デバイスから前記第２のワイヤレスネットワークを介して第２のトラフィック告知メッセージを受信することをさらに備える、請求項１に記載の方法。
【請求項５２】
前記第１のトラフィック告知メッセージが、属性識別子フィールドと、長さフィールドと、前記第１の送信時間枠の前記第２の部分の間、前記第１の電子デバイスからデータフレームを受信するようにスケジューリングされる前記データリンクの少なくとも１つの電子デバイスを示すトラフィックインジケータフィールドとを備える、属性を含む、請求項１に記載の方法。
【請求項５３】
前記同期動作が、前記第１のワイヤレスネットワークを介して前記ＮＡＮの電子デバイスから同期ビーコンを受信することを備え、前記クロックが、前記同期ビーコンに基づいて同期される、請求項１に記載の方法。
【請求項５４】
前記クロックを同期した後に、前記同期されたクロックに基づいて前記第１のページング時間枠の開始時間を決定することをさらに備える、請求項５３に記載の方法。
【請求項５５】
前記第１のページング時間枠の間、前記１つまたは複数の電子デバイスに前記第１のトラフィック告知メッセージを送信することが、前記第１のページング時間枠の間、前記１つまたは複数の電子デバイスに前記第１のトラフィック告知メッセージをブロードキャストすることを備える、請求項１に記載の方法。
【請求項５６】
前記第２のワイヤレスネットワークを介して、および前記第１の送信時間枠の前記第２の部分の前に、前記第２の電子デバイスから肯定応答を受信することをさらに備え、前記第２の部分が、前記第１の送信時間枠のデータ送信部分を備える、請求項１に記載の方法。
【請求項５７】
前記第１のデータが、前記第１の電子デバイスにおいて生成され、および前記データリンクの電子デバイスに前記第１の電子デバイスによって提供されるサービスに関連付けられる、請求項１に記載の方法。
【手続補正２】
【補正対象書類名】明細書
【補正対象項目名】０２８５
【補正方法】変更
【補正の内容】
【０２８５】
[0297]上記の説明は、当業者が開示されている実装形態を製作または使用することを可能にするために提供されている。これらの実装形態に対する様々な修正が、当業者には容易に明らかになり、本明細書において定義される原理は、本開示の範囲から逸脱することなく、他の実装形態に適用され得る。したがって、本開示は、本明細書において示される実装形態に限定されることを意図されず、特許請求の範囲によって定義される原理および新規の特徴と合致する可能な限り最も広い範囲が与えられるべきである。
以下に、本願の出願当初の特許請求の範囲に記載された発明を付記する。
［Ｃ１］
電子デバイス間で通信する方法であって、
データリンクの第１の電子デバイスにおいて第１のトラフィック告知メッセージを生成することと、ここにおいて、前記第１のトラフィック告知メッセージは、第１のデータが前記データリンクの前記第１の電子デバイスから第２の電子デバイスに送信されるべきであることを示す、
第１のページング時間枠の間に、前記第１のトラフィック告知メッセージを前記データリンクの１つまたは複数の電子デバイスに送信することとを備える、方法。
［Ｃ２］
前記第１のページング時間枠が、前記１つまたは複数の電子デバイスのアクティブ動作モードに対応する時間期間の間に存在し、前記第１のページング時間枠が、近隣認識ネットワーク（ＮＡＮ）の第１の発見時間枠から１つの発見時間枠オフセット期間後に開始する、Ｃ１に記載の方法。
［Ｃ３］
前記ＮＡＮが第１の複数の電子デバイスを含み、前記データリンクが第２の複数の電子デバイスを含み、前記第２の複数の電子デバイスが前記第１の複数の電子デバイスのサブセットである、Ｃ２に記載の方法。
［Ｃ４］
前記データリンク内でのデータ送信のために確保されている第１のワイヤレスネットワークを介して、前記第１の電子デバイスから前記第２の電子デバイスに前記第１のトラフィック告知メッセージと前記第１のデータとを送信することをさらに備え、前記第１のトラフィック告知メッセージが前記データリンクの第１の送信時間枠の第１の部分の間に送信され、前記第１の送信時間枠が前記第１のページング時間枠を含み、前記第１のデータが前記第１の送信時間枠の第２の部分の間に送信される、Ｃ３に記載の方法。
［Ｃ５］
前記第１のトラフィック告知メッセージが、第２のデータが前記データリンクの前記第１の電子デバイスから第３の電子デバイスに送信されるべきであることをさらに示し、前記第１のワイヤレスネットワークを介して、前記第１の電子デバイスから前記第３の電子デバイスに前記第２のデータを送信することをさらに備える、Ｃ４に記載の方法。
［Ｃ６］
前記第１の電子デバイスにおいて第２のトラフィック告知メッセージを生成することと、ここにおいて、前記第２のトラフィック告知メッセージは、第２のデータが前記データリンクの前記第１の電子デバイスから第３の電子デバイスに送信されるべきであることを示す、
第２のページング時間枠の間に、前記第２のトラフィック告知メッセージを前記データリンクの前記１つまたは複数の電子デバイスに送信することとをさらに備える、Ｃ４に記載の方法。
［Ｃ７］
前記第１のページング時間枠の時間長が、前記データリンクの他の電子デバイスにサービスを提供する前記データリンクの前記電子デバイスの数に基づく、Ｃ１に記載の方法。
［Ｃ８］
前記データリンク中の前記１つまたは複数の電子デバイスから前記第１の電子デバイスにおいて受信されるルート告知（ＲＡＮＮ）メッセージのカウントを維持することと、ここにおいて、前記ＲＡＮＮメッセージの各々は、前記サービスを提供する前記データリンクの電子デバイスを示す、
前記カウントをマッピングテーブルと比較することに基づいて、前記第１のページング時間枠の前記時間長を決定することとをさらに備える、Ｃ７に記載の方法。
［Ｃ９］
前記第１のページング時間枠の時間長が、前記データリンクに対応するデータリンク時間ブロックのサイズに基づく、Ｃ１に記載の方法。
［Ｃ１０］
前記第１のトラフィック告知メッセージを生成する前に、近隣認識ネットワーク（ＮＡＮ）内での発見動作および同期動作のために確保されている第１のワイヤレスネットワークを介して、前記第１の電子デバイスにおいてサービス発見メッセージを受信することと、
前記サービス発見メッセージを受信した後に、および前記第１のトラフィック告知メッセージを送信する前に、前記データリンク内でのデータ送信のために確保されている第２のワイヤレスネットワークを介して送信するように前記第１の電子デバイスを構成することとをさらに備える、Ｃ１に記載の方法。
［Ｃ１１］
前記第１のトラフィック告知メッセージが、前記第１のデータの受信者として前記第２の電子デバイスを識別するトラフィックインジケータを含み、前記トラフィックインジケータが、トラフィック指示マップ（ＴＩＭ）、ブルームフィルタ、媒体アクセス制御アドレスのリスト、または告知トラフィック指示メッセージ（ＡＴＩＭ）を含む、Ｃ１に記載の方法。
［Ｃ１２］
前記第１のトラフィック告知メッセージが、近隣認識ネットワーク（ＮＡＮ）内での発見動作および同期動作のために確保されている第１のワイヤレスネットワークを介して送信され、前記ページング時間枠が、第１の発見時間枠の終了から１つの発見時間枠オフセット期間後に開始する、Ｃ１に記載の方法。
［Ｃ１３］
前記第１のトラフィック告知メッセージが前記第１のワイヤレスネットワークを介して送信された後に、
前記データリンクに対応するデータ送信のために確保されている第２のワイヤレスネットワークを介して送信するように前記第１の電子デバイスを構成することと、
前記第２のワイヤレスネットワークを介して前記第１の電子デバイスから前記第２の電子デバイスに前記第１のデータを送信することとをさらに備える、Ｃ１２に記載の方法。
［Ｃ１４］
前記第１のトラフィック告知メッセージがトラフィック指示マップを含み、前記トラフィック指示マップがビットマップを備え、前記ビットマップの１つまたは複数のビットの値が、第１の送信時間枠の間の前記第１の電子デバイスからのデータ送信の受信者として、前記１つまたは複数の電子デバイスを識別する、Ｃ１２に記載の方法。
［Ｃ１５］
前記トラフィック指示マップの第１のビットが、前記第１のデータが前記データリンクの前記第２の電子デバイスに送信されるべきであることを示し、前記トラフィック指示マップの第２のビットが、第２のデータが前記データリンクの第３の電子デバイスに送信されるべきであることを示す、Ｃ１４に記載の方法。
［Ｃ１６］
前記トラフィック指示マップ中の前記第１のビットの位置が、前記第２の電子デバイスへと前記第１の電子デバイスによって割り当てられる接続識別子に基づく、Ｃ１５に記載の方法。
［Ｃ１７］
第１のコンテンション時間枠パラメータが、前記ページング時間枠の時間長、ページングメッセージのサイズ、およびページングメッセージの目標コリジョン確率に基づいて選択される、Ｃ１に記載の方法。
［Ｃ１８］
第２のコンテンション時間枠パラメータが、第１の送信時間枠の時間長、データ送信のサイズ、およびデータ送信の目標コリジョン確率に基づいて選択され、前記第１の送信時間枠が前記第１のページング時間枠を含む、Ｃ１７に記載の方法。
［Ｃ１９］
前記第１のトラフィック告知メッセージに応答して前記第２の電子デバイスから肯定応答を受信することをさらに備え、前記肯定応答が節電ポール（ＰＳ−ＰＯＬＬ）メッセージとして機能する、Ｃ１に記載の方法。
［Ｃ２０］
前記第１のトラフィック告知メッセージに応答して前記第２の電子デバイスから肯定応答を受信することをさらに備え、前記肯定応答がサービス品質ヌル（ＱｏＳ＿ＮＵＬＬ）フレームである、Ｃ１に記載の方法。
［Ｃ２１］
前記ＱｏＳ＿ＮＵＬＬフレームが、コンテンションを伴わずに短フレーム間空間（ＳＩＦＳ）期間内に応答を前記第２の電子デバイスへ送信することを前記第１の電子デバイスに対して承認する、逆方向グラント（ＲＤＧ）を含む、Ｃ２０に記載の方法。
［Ｃ２２］
前記第１のトラフィック告知メッセージに応答して前記第２の電子デバイスから肯定応答を受信したことに応答して、前記第１の電子デバイスから前記第２の電子デバイスに少なくとも１つのデータフレームを送信することをさらに備える、Ｃ１に記載の方法。
［Ｃ２３］
前記第１のトラフィック告知メッセージが受信者タイプインジケータを含み、前記第１のトラフィック告知メッセージが、データが前記１つまたは複数の電子デバイスに送信されるべきであることをさらに示し、前記１つまたは複数の電子デバイスを識別するアドレスセットが、前記受信者タイプインジケータが第１の値を有する場合、トラフィック指示マップによって表され、前記第１のトラフィック告知メッセージが、前記トラフィック指示マップを識別する、Ｃ１に記載の方法。
［Ｃ２４］
前記第１のトラフィック告知メッセージが、受信者タイプインジケータを含み、データが前記１つまたは複数の電子デバイスに送信されるべきであることをさらに示し、前記１つまたは複数の電子デバイスを識別するアドレスセットが、前記受信者タイプインジケータが第２の値を有する場合、ブルームフィルタによって表され、前記第１のトラフィック告知メッセージが、前記ブルームフィルタを識別する、Ｃ１に記載の方法。
［Ｃ２５］
前記第１のトラフィック告知メッセージが、前記ブルームフィルタのサイズと、前記ブルームフィルタに対応するハッシュ関数のセットを示すブルームフィルタインデックスとを示し、前記ブルームフィルタが、ハッシュ関数の前記セットと、前記１つまたは複数の電子デバイスに対応する１つまたは複数の媒体アクセス制御（ＭＡＣ）アドレスとに基づいて決定される、Ｃ２４に記載の方法。
［Ｃ２６］
前記第１のトラフィック告知メッセージに応答して、前記データリンクの前記第２の電子デバイスから第１の肯定応答を受信することと、
前記第２の電子デバイスが前記第１のデータの受信者として正しく識別されると決定したことに基づいて、前記第１のデータの一部分を前記第２の電子デバイスに送信することとをさらに備える、Ｃ２４に記載の方法。
［Ｃ２７］
前記第１のトラフィック告知メッセージに応答して、前記データリンクの第３の電子デバイスから第２の肯定応答を受信することと、
前記第３の電子デバイスが前記第１のデータの前記受信者ではないと決定したことに基づいて、否定応答（ＮＡＣＫ）を前記第３の電子デバイスに送信することとをさらに備える、Ｃ２６に記載の方法。
［Ｃ２８］
プロセッサと、
前記プロセッサに結合されたメモリとを備え、前記メモリが、
データリンクの第１の電子デバイスにおいて第１のトラフィック告知メッセージを生成することと、ここにおいて、前記第１のトラフィック告知メッセージは、第１のデータが前記データリンクの前記第１の電子デバイスから第２の電子デバイスに送信されるべきであることを示す、
第１のページング時間枠の間に、前記第１のトラフィック告知メッセージを前記データリンクの１つまたは複数の電子デバイスに送信することと
を備える動作を実行するように、前記プロセッサによって実行可能な命令を記憶する、装置。
［Ｃ２９］
前記第１のページング時間枠が、前記１つまたは複数の電子デバイスのアクティブ動作モードに対応する時間期間の間に存在し、前記第１のページング時間枠が、近隣認識ネットワーク（ＮＡＮ）の第１の発見時間枠から１つの発見時間枠オフセット期間後に開始する、Ｃ２８に記載の装置。
［Ｃ３０］
前記ＮＡＮが第１の複数の電子デバイスを含み、前記データリンクが第２の複数の電子デバイスを含み、前記第２の複数の電子デバイスが前記第１の複数の電子デバイスのサブセットである、Ｃ２９に記載の装置。
［Ｃ３１］
前記動作が、前記データリンク内でのデータ送信のために確保されている第１のワイヤレスネットワークを介して、前記第１の電子デバイスから前記第２の電子デバイスに前記第１のトラフィック告知メッセージと前記第１のデータとを送信することをさらに備え、前記第１のトラフィック告知メッセージが前記データリンクの第１の送信時間枠の第１の部分の間に送信され、前記第１の送信時間枠が前記第１のページング時間枠を含み、前記第１のデータが前記第１の送信時間枠の第２の部分の間に送信される、Ｃ３０に記載の装置。
［Ｃ３２］
前記第１のトラフィック告知メッセージが、第２のデータが前記データリンクの前記第１の電子デバイスから第３の電子デバイスに送信されるべきであることをさらに示し、前記動作が、前記第１のワイヤレスネットワークを介して、前記第１の電子デバイスから前記第３の電子デバイスに前記第２のデータを送信することをさらに備える、Ｃ３１に記載の装置。
［Ｃ３３］
前記動作が、
前記第１の電子デバイスにおいて第２のトラフィック告知メッセージを生成することと、ここにおいて、前記第２のトラフィック告知メッセージは、第２のデータが前記データリンクの前記第１の電子デバイスから第３の電子デバイスに送信されるべきであることを示す、
第２のページング時間枠の間に、前記第２のトラフィック告知メッセージを前記データリンクの前記１つまたは複数の電子デバイスに送信することとをさらに備える、Ｃ３１に記載の装置。
［Ｃ３４］
前記第１のページング時間枠の時間長が、前記データリンクの他の電子デバイスにサービスを提供する前記データリンクの前記電子デバイスの数に基づく、Ｃ２８に記載の装置。
［Ｃ３５］
前記動作が、
前記データリンク中の前記１つまたは複数の電子デバイスから前記第１の電子デバイスにおいて受信されるルート告知（ＲＡＮＮ）メッセージのカウントを維持することと、ここにおいて、前記ＲＡＮＮメッセージの各々は、前記サービスを提供する前記データリンクの電子デバイスを示す、
前記カウントをマッピングテーブルと比較することに基づいて、前記第１のページング時間枠の前記時間長を決定することとをさらに備える、Ｃ３４に記載の装置。
［Ｃ３６］
前記第１のページング時間枠の時間長が、前記データリンクに対応するデータリンク時間ブロックのサイズに基づく、Ｃ２８に記載の装置。
［Ｃ３７］
前記動作が、
前記第１のトラフィック告知メッセージを生成する前に、近隣認識ネットワーク（ＮＡＮ）内での発見動作および同期動作のために確保されている第１のワイヤレスネットワークを介して、前記第１の電子デバイスにおいてサービス発見メッセージを受信することと、
前記サービス発見メッセージを受信した後に、および前記第１のトラフィック告知メッセージを送信する前に、前記データリンク内でのデータ送信のために確保されている第２のワイヤレスネットワークを介して送信するように前記第１の電子デバイスを構成することとをさらに備える、Ｃ２８に記載の装置。
［Ｃ３８］
前記第１のトラフィック告知メッセージが、前記第１のデータの受信者として前記第２の電子デバイスを識別するトラフィックインジケータを含み、前記トラフィックインジケータが、トラフィック指示マップ（ＴＩＭ）、ブルームフィルタ、媒体アクセス制御アドレスのリスト、または告知トラフィック指示メッセージ（ＡＴＩＭ）を含む、Ｃ２８に記載の装置。
［Ｃ３９］
前記第１のトラフィック告知メッセージが、近隣認識ネットワーク（ＮＡＮ）内での発見動作および同期動作のために確保されている第１のワイヤレスネットワークを介して送信され、前記ページング時間枠が、第１の発見時間枠の終了から１つの発見時間枠オフセット期間後に開始する、Ｃ２８に記載の装置。
［Ｃ４０］
前記動作が、前記第１のトラフィック告知メッセージが前記第１のワイヤレスネットワークを介して送信された後に、
前記データリンクに対応するデータ送信のために確保されている第２のワイヤレスネットワークを介して送信するように前記第１の電子デバイスを構成することと、
前記第２のワイヤレスネットワークを介して前記第１の電子デバイスから前記第２の電子デバイスに前記第１のデータを送信することとをさらに備える、Ｃ３９に記載の装置。
［Ｃ４１］
前記第１のトラフィック告知メッセージがトラフィック指示マップを含み、前記トラフィック指示マップがビットマップを備え、前記ビットマップの１つまたは複数のビットの値が、第１の送信時間枠の間の前記第１の電子デバイスからのデータ送信の受信者として、前記１つまたは複数の電子デバイスを識別する、Ｃ３９に記載の装置。
［Ｃ４２］
前記トラフィック指示マップの第１のビットが、前記第１のデータが前記データリンクの前記第２の電子デバイスに送信されるべきであることを示し、前記トラフィック指示マップの第２のビットが、第２のデータが前記データリンクの第３の電子デバイスに送信されるべきであることを示す、Ｃ４１に記載の装置。
［Ｃ４３］
前記トラフィック指示マップ中の前記第１のビットの位置が、前記第２の電子デバイスへと前記第１の電子デバイスによって割り当てられる接続識別子に基づく、Ｃ４２に記載の装置。
［Ｃ４４］
第１のコンテンション時間枠パラメータが、前記ページング時間枠の時間長、ページングメッセージのサイズ、およびページングメッセージの目標コリジョン確率に基づいて選択される、Ｃ２８に記載の装置。
［Ｃ４５］
第２のコンテンション時間枠パラメータが、第１の送信時間枠の時間長、データ送信のサイズ、およびデータ送信の目標コリジョン確率に基づいて選択され、前記第１の送信時間枠が前記第１のページング時間枠を含む、Ｃ４４に記載の装置。
［Ｃ４６］
前記動作が、前記第１のトラフィック告知メッセージに応答して前記第２の電子デバイスから肯定応答を受信することをさらに備え、前記肯定応答が節電ポール（ＰＳ−ＰＯＬＬ）メッセージとして機能する、Ｃ２８に記載の装置。
［Ｃ４７］
前記動作が、前記第１のトラフィック告知メッセージに応答して前記第２の電子デバイスから肯定応答を受信することをさらに備え、前記肯定応答がサービス品質ヌル（ＱｏＳ＿ＮＵＬＬ）フレームである、Ｃ２８に記載の装置。
［Ｃ４８］
前記ＱｏＳ＿ＮＵＬＬフレームが、コンテンションを伴わずに短フレーム間空間（ＳＩＦＳ）期間内に応答を前記第２の電子デバイスへ送信することを前記第１の電子デバイスに対して承認する、逆方向グラント（ＲＤＧ）を含む、Ｃ４７に記載の装置。
［Ｃ４９］
前記動作が、前記第１のトラフィック告知メッセージに応答して前記第２の電子デバイスから肯定応答を受信したことに応答して、前記第１の電子デバイスから前記第２の電子デバイスに少なくとも１つのデータフレームを送信することをさらに含む、Ｃ２８に記載の装置。
［Ｃ５０］
前記第１のトラフィック告知メッセージが受信者タイプインジケータを含み、前記第１のトラフィック告知メッセージが、データが前記１つまたは複数の電子デバイスに送信されるべきであることをさらに示し、前記１つまたは複数の電子デバイスを識別するアドレスセットが、前記受信者タイプインジケータが第１の値を有する場合、トラフィック指示マップによって表され、前記第１のトラフィック告知メッセージが、前記トラフィック指示マップを識別する、Ｃ２８に記載の装置。
［Ｃ５１］
前記第１のトラフィック告知メッセージが、受信者タイプインジケータを含み、データが前記１つまたは複数の電子デバイスに送信されるべきであることをさらに示し、前記１つまたは複数の電子デバイスを識別するアドレスセットが、前記受信者タイプインジケータが第２の値を有する場合、ブルームフィルタによって表され、前記第１のトラフィック告知メッセージが、前記ブルームフィルタを識別する、Ｃ２８に記載の装置。
［Ｃ５２］
前記第１のトラフィック告知メッセージが、前記ブルームフィルタのサイズと、前記ブルームフィルタに対応するハッシュ関数のセットを示すブルームフィルタインデックスとを示し、前記ブルームフィルタが、ハッシュ関数の前記セットと、前記１つまたは複数の電子デバイスに対応する１つまたは複数の媒体アクセス制御（ＭＡＣ）アドレスとに基づいて決定される、Ｃ５１に記載の装置。
［Ｃ５３］
前記動作が、
前記第１のトラフィック告知メッセージに応答して、前記データリンクの前記第２の電子デバイスから第１の肯定応答を受信することと、
前記第２の電子デバイスが前記第１のデータの受信者として正しく識別されると決定したことに基づいて、前記第１のデータの一部分を前記第２の電子デバイスに送信することとをさらに備える、Ｃ５１に記載の装置。
［Ｃ５４］
前記動作が、
前記第１のトラフィック告知メッセージに応答して、前記データリンクの第３の電子デバイスから第２の肯定応答を受信することと、
前記第３の電子デバイスが前記第１のデータの前記受信者ではないと決定したことに基づいて、否定応答（ＮＡＣＫ）を前記第３の電子デバイスに送信することとをさらに備える、Ｃ５３に記載の装置。
［Ｃ５５］
データリンクの第１の電子デバイスにおいてトラフィック告知メッセージを生成するための手段と、ここにおいて、前記トラフィック告知メッセージは、第１のデータが前記データリンクの前記第１の電子デバイスから第２の電子デバイスに送信されるべきであることを示す、
ページング時間枠の間に、前記トラフィック告知メッセージを前記データリンクの１つまたは複数の電子デバイスに送信するための手段とを備える、装置。
［Ｃ５６］
命令を記憶する非一時的コンピュータ可読媒体であって、前記命令が、プロセッサによって実行されると、前記プロセッサに、
データリンクの第１の電子デバイスにおいてトラフィック告知メッセージを生成させ、ここにおいて、前記トラフィック告知メッセージは、第１のデータが前記データリンクの前記第１の電子デバイスから第２の電子デバイスに送信されるべきであることを示す、
ページング時間枠の間に、前記トラフィック告知メッセージを前記データリンクの１つまたは複数の電子デバイスへ送信させる、非一時的コンピュータ可読媒体。